(57)【要約】【課題】本発明は常時保持している携帯電話機やＰＤＡ等の情報端末機で、紫外線量等の情報をいつでも確実に把握することができるとともに、該情報を効率よく利用することできる携帯電話機等の情報端末機を得るにある。【解決手段】操作ボタンや表示画面、音声出力部等を備える携帯電話機等の情報端末機において、情報端末機本体内の制御部に接続された、紫外線等を感知する感知手段で携帯電話機等の情報端末機を構成している。【選択図】　図１
2004023520.tif 000002
【特許請求の範囲】
【請求項１】
操作ボタンや表示画面、音声出力部等を備える携帯電話機等の情報端末機において、情報端末機本体内の制御部に接続された、紫外線等を感知する感知手段を備える携帯電話機等の情報端末機。
【請求項２】
操作ボタンや表示画面、音声出力部等を備える携帯電話機等の情報端末機において、情報端末機本体内の制御部に接続された、紫外線を感知する感知手段と、この感知手段で感知された紫外線量や強さ等を利用者が利用あるいは理解することできる状態に変換する変換手段とを備える携帯電話機等の情報端末機。
【請求項３】
前記感知手段は紫外線センサーであることを特徴とする特許請求の範囲第１あるいは第２項記載の携帯電話機等の情報端末機。
【請求項４】
前記感知手段は紫外線に反応する感応剤を混合した樹脂材で形成された携帯電話機等の情報端末機本体であることを特徴とする特許請求の範囲第１あるいは第２項記載の携帯電話機等の情報端末機。
【請求項５】
前記変換手段は紫外線量や強さ等に応じて、ＳＰＦ単位ごとに所定のコンテンツ等で表示できるように変換することを特徴とする特許請求の範囲第２項記載の携帯電話機等の情報端末機。
【請求項６】
前記変換手段は紫外線量や強さ等に応じて、対応する音に変換することを特徴とする特許請求の範囲第２項記載の携帯電話機等の情報端末機。
【請求項７】
前記変換手段は紫外線量や強さ等に応じて、対応する光に変換することを特徴とする特許請求の範囲第２項記載の携帯電話機等の情報端末機。
【請求項８】
前記変換手段は紫外線量や強さ等に応じて、バックライトの光量を調整することを特徴とする特許請求の範囲第２項記載の携帯電話機等の情報端末機。
【請求項９】
前記変換手段は紫外線量や強さ等に応じて発生する電気を蓄電することができるように変換することを特徴とする特許請求の範囲第２項記載の携帯電話機等の情報端末機。
【請求項１０】
前記変換手段は紫外線量や強さ等に応じて前記制御部をコントロールすることを特徴とする特許請求の範囲第２項記載の携帯電話機等の情報端末機。
【発明の詳細な説明】
【０００１】
【発明の属する技術分野】
本発明は、携帯電話機やＰＤＡ等の情報端末機に関する。
【０００２】
【従来の技術】
従来、携帯電話機やＰＤＡ等の情報端末機において、天気予報等の情報を、ブラウザ機能や無線機能等を利用して、獲得あるいは提供している。
【０００３】
【発明が解決しようとする課題】
従来の携帯電話機やＰＤＡ等の情報端末機では、特に若年層間でも問題意識が高い、紫外線量等の情報を常時確実に把握することが困難であるという欠点があった。
【０００４】
本発明は以上のような従来の欠点に鑑み、常時保持している携帯電話機やＰＤＡ等の情報端末機で、紫外線量等の情報をいつでも確実に把握することができるとともに、該情報を効率よく利用することできる携帯電話機等の情報端末機を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は操作ボタンや表示画面、音声出力部等を備える携帯電話機等の情報端末機において、情報端末機本体内の制御部に接続された、紫外線等を感知する感知手段で携帯電話機等の情報端末機を構成している。
【０００７】
【発明の実施の形態】
以下、図面に示す実施の形態により、本発明を詳細に説明する。
【０００８】
図１ないし図９に示す本発明の第１の実施の形態において、１は携帯電話機、ＰＤＡ、ノート型パーソナルコンピュータ、腕時計、デジタルカメラ等の情報端末機、本実施の形態では携帯電話機で、この携帯電話機１は、従来と同様の携帯電話機本体２と、この携帯電話機本体２に設けられた制御部３、表示部４、操作ボタン部５、アンテナ６等とで構成され、前記携帯電話機１において、前記制御部３に電気的接続された、前記携帯電話機本体２の操作ボタン部５の近傍部位に形成された開口部７より紫外線を感知することができる、感知手段としての紫外線センサー８と、この紫外線センサー８と電気的接続された、該紫外線センサー８で感知された紫外線の量や強さを、利用者が利用あるいは理解することできる数値や指数に変換する、変換手段としての変換部９とで構成されている。
【０００９】
前記変換部９は、Ａ紫外線（ＵＶＡ）とＢ紫外線（ＵＶＢ）である紫外線、本実施の形態では、一般的に用いられている、特にＵＶＢの紫外線の量を紫外線指数に変換する。
なお、図５に示すように、前記指数をＵＶＢの防止効果を表す数値のＳＰＦ（ＳＵＮＰＲＯＴＥＣＴＩＯＮＦＡＣＴＯＲ）（サンケア指数）に変換してもよく、また、図６に示すように、紫外線指数やＳＰＦ指数を対応する静止画や動画等の模様に変換して表示してもよい。
【００１０】
上記構成の携帯電話機１は、使用者に携帯あるいは使用されている状態で、紫外線がどの程度浴びているのかを前記紫外線センサー８で感知し、前記変換部９、制御部３を介して、紫外線指数を該携帯電話機１の表示部４に表示することができるので、使用者の紫外線対策、例えばサングラスをかけたほうがよい、帽子をかぶる、化粧をする等の目安になり、紫外線を浴びるのを効率よく防止することができるとともに、紫外線を受けることによる身体の免疫力低下を効率よく防ぐことができる。
【００１１】
屋内等での不使用時には、生活紫外線と呼ばれるＵＶＢによる影響を容易に把握し、屋内で紫外線を浴びるのを効率よく防止することができる。
【００１２】
なお、本実施の形態では、紫外線指数に変換する変換部９を説明したが、図４　に示すように、ＰＡ＋、ＰＡ＋＋、ＰＡ＋＋＋の３段階で表示する、ＵＶＡをどのくらい防止できるかという目安であるＰＡ分類（ＰＲＯＴＥＣＴＩＯＮ　ＧＲＡＤＥＯＦＵＶＡ）に変換する変換部でもよく、ＳＰＦおよびＰＡ分類を併記する処理をしてもよい。
また、図５ないし図９に示すように、紫外線センサー８を折畳み式携帯電話機、ＰＤＡ、ノート型パーソナルコンピュータ、デジタルカメラ、ＭＤプレーヤに設けてもよい。
【００１３】
また、本実施の形態の変換手段としての変換部９は、従来の携帯電話機の制御部と別体に設けられた状態を説明しているが、これに限らず、該制御部３内に該変換部９を一体的に組み込んでもよい。
【００１４】
さらに、紫外線を感知することができる開口部７は、紫外線を受けることができる携帯電話機本体部位であれば、形成される位置は問わない。
【００１５】
【発明の異なる実施の形態】
次に、図１０ないし図２７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図１０および図１１に示す本発明の第２の実施の形態において、前記本発明の第１の実施の形態と主に異なる点は、紫外線に反応して色を変化させる紫外線感応剤を混合した樹脂材で形成された、変換手段としての携帯電話機の情報端末機本体２Ａを用いた点で、このように構成された携帯電話機１Ａは、紫外線の量等を数値で表示することはできないが、色の変化により、効率よく紫外線を浴びるのを防止することができるとともに、紫外線を受けることによる身体の免疫力低下を効率よく防ぐことができる。
なお、温度変化に順次反応して、温度の変化量を確認することができる変化利用剤を混合した樹脂材を原料に使用してもよい。
【００１７】
図１２および図１３に示す本発明の第３の実施の形態において、前記本発明の第１の実施の形態と主に異なる点は、紫外線量や強さ等に応じて、ＳＰＦ単位ごとに所定のコンテンツ、例えば、紫外線指数１０であればサングラスをかける、指数５０であれば帽子をかぶることを促す壁紙や動画等で表示部４に表示できるように変換する変換部９Ａを用いた点で、このように構成された携帯電話機１Ｂにしても、本発明の第１の実施の形態と同様の作用効果を得ることができる。
なお、個々の携帯電話機で集められた紫外線情報をインターネット機能を介して、所定のサーバに蓄積し、携帯電話機からのアクセスによって、例えば地区別、時間別等の紫外線情報の使用を促すことができる。
【００１８】
図１４および図１５に示す本発明の第４の実施の形態において、前記本発明の第１の実施の形態と主に異なる点は、使用者が所定の操作をした時に、紫外線量や強さ等に応じて、対応する音に変換することができる変換部９Ｂを用いた点で、このように構成された携帯電話機１Ｃにしても、所定の音声、例えば指数ごとに決められた音楽、直接数値を発したりすることができるので、本発明の第１の実施の形態と同様の作用効果を得ることができる。
【００１９】
図１６および図１７に示す本発明の第５の実施の形態において、前記本発明の第４の実施の形態と主に異なる点は、紫外線量や強さ等に応じて対応する音をタイマとして利用することができるように変換する変換部９Ｃを用いた点で、このように構成された携帯電話機１Ｄにしても本発明の第４の実施の形態と同様の作用効果を得ることができるとともに、使用者が知りたい時間を設定できるので、例えば、化粧をするタイミングを計るために、一定時間あるいは一定量の紫外線を浴びた場合に、音を発するように設定することができるので、紫外線対策を忘れるのを確実に防止することができる。
【００２０】
図１８および図１９に示す本発明の第６の実施の形態において、前記本発明の第１の実施の形態と主に異なる点は、紫外線量や強さ等に応じて、対応する光に変換する変換部９Ｄを用いた点で、このように構成された携帯電話機１Ｅにしても、所定の光、例えば指数ごとに決められた色の光等で表示することができるので、本発明の第１の実施の形態と同様の作用効果を得ることができる。
【００２１】
図２０および図２１に示す本発明の第７の実施の形態において、前記本発明の第１の実施の形態と主に異なる点は、紫外線量や強さ等に応じて、発光装置であるバックライトの光量を調整することができる変換部９Ｅを用いた点で、このように構成された携帯電話機１Ｆは、紫外線の量に応じて、表示部４の表示を見易くするレベルにバックライトの光量を調整することができる。
なお、ＥＬディスプレイを使用する場合には、紫外線量や強さ等に応じて、電圧を替える処理をすることができる。
【００２２】
図２２および図２３に示す本発明の第８の実施の形態において、前記本発明の第１の実施の形態と主に異なる点は、紫外線を浴びることによって発生する電気をバッテリー１０に蓄電することができる紫外線センサーを備えた変換部９Ｆを用いた点で、このように構成された携帯電話機１Ｇは、紫外線を浴びている状態で常時充電状態を維持することができる
【００２３】
図２４および図２５に示す本発明の第９の実施の形態において、前記本発明の第１の実施の形態と主に異なる点は、紫外線を感知する量や時間によって、制御部３の作動を制御する信号を生成する変換部９Ｇを用いた点で、このように構成された携帯電話機１Ｈは、所定量の紫外線を浴びた場合、前記変換部９Ｇで生成された信号により、制御部を介して、一定時間ロック状態にして、該携帯電話機１Ｈのセキュリティ機能を効率よく働かせることができる。
【００２４】
図２６および図２７に示す本発明の第１０の実施の形態において、前記本発明の第９の実施の形態と主に異なる点は、紫外線を感知する量や時間によって、携帯電話機自体を識別することができる識別符号１１を生成する変換部９Ｈを用いた点で、このように構成された携帯電話機１Ｉは、所定量の紫外線を浴びた、あるいは故意に所定量の紫外線を浴びせて、該紫外線の積算値や時間情報等に基づいて生成された識別符号、本実施の形態ではマトリックス符号１１を制御部に記録し、認証時等に該識別符号を表示部４に表示して認証等に使用することができる。
なお、前記識別符号１１はマトリックス符号のほか、数列、記号、バーコード等でもよい。
【００２５】
なお、各本実施の形態では携帯電話機について説明したが、本発明はこれに限らず、ＰＤＡ、ノート型パーソナルコンピュータ、腕時計、デジタルカメラ、ＣＤプレーヤ、ＭＤプレーヤ等の情報端末機でもよい。
【００２６】
また、第１、第３、第４、第５、第６および第７の実施の形態においては、携帯電話機のバイブレータ機能に連動していてもよく、選択的に使用するようにしてもよい。
【００２７】
さらに、前記本発明の異なる実施の形態では主に第１の実施の形態を基にして説明したが、本発明はこれに限らず、各実施の形態に使用された構成を組み合わせて使用しても同様な作用効果が得られる。
【００２８】
【発明の効果】
以上の説明から明らかなように、本発明にあっては次に列挙する効果が得られる。
【００２９】
（１）操作ボタンや表示画面、音声出力部等を備える携帯電話機等の情報端末機において、情報端末機本体内の制御部に接続された、紫外線等を感知する感知手段とからなるので、常時保持している携帯電話機で、紫外線量等の情報をいつでも確実に確認することができる。
したがって、使用者の紫外線対策、例えばサングラスをかけたほうがよい、帽子をかぶる、化粧をする等の目安になり、紫外線を浴びるのを効率よく防止することができる。
【００３０】
（２）前記（１）によって、紫外線量等の情報をいつでも確実に把握することができる、紫外線を受けることによる身体の免疫力低下を効率よく防ぐことができる。
【００３１】
（３）前記（１）によって、携帯電話機は常時所持するものであるので、容易に紫外線対策を実施することができる。
【００３２】
（４）請求項２〜１０も前記（１）〜（３）と同様な作用効果が得られる。
【図面の簡単な説明】
【図１】本発明の第１の実施の形態の使用状態の説明図。
【図２】本発明の第１の実施の形態の正面図。
【図３】本発明の第１の実施の形態の概略図。
【図４】本発明の第１の実施の形態のＰＡ分類表示の参考図。
【図５】本発明の第１の実施の形態の折畳み式携帯電話機に設けた状態の参考図。
【図６】本発明の第１の実施の形態のＰＤＡに設けた状態の参考図。
【図７】本発明の第１の実施の形態のノート型パーソナルコンピュータに設けた状態の参考図。
【図８】本発明の第１の実施の形態のデジタルカメラに設けた状態の参考図。
【図９】本発明の第１の実施の形態のＭＤプレーヤに設けた状態の参考図。
【図１０】本発明の第２の実施の形態の正面図。
【図１１】本発明の第２の実施の形態の表示変化状態の説明図。
【図１２】本発明の第３の実施の形態の正面図。
【図１３】本発明の第３の実施の形態の概略図。
【図１４】本発明の第４の実施の形態の正面図。
【図１５】本発明の第４の実施の形態の概略図。
【図１６】本発明の第５の実施の形態の正面図。
【図１７】本発明の第５の実施の形態の概略図。
【図１８】本発明の第６の実施の形態の正面図。
【図１９】本発明の第６の実施の形態の概略図。
【図２０】本発明の第７の実施の形態の正面図。
【図２１】本発明の第７の実施の形態の概略図。
【図２２】本発明の第８の実施の形態の正面図。
【図２３】本発明の第８の実施の形態の概略図。
【図２４】本発明の第９の実施の形態の正面図。
【図２５】本発明の第９の実施の形態の概略図。
【図２６】本発明の第１０の実施の形態の正面図。
【図２７】本発明の第１０の実施の形態の概略図。
【符号の説明】
１、１Ａ〜１Ｉ：携帯電話機、　　　２、２Ａ：携帯電話機本体、
３：制御部、　　　　　　　　　　　４：表示部、
５：操作ボタン部、　　　　　　　　６：アンテナ、
７：開口部、　　　　　　　　　　　８：紫外線センサー、
９、９Ａ〜９Ｈ：変換部、　　　　　１０：バッテリー、
１１：識別符号。
【図１】
2004023520.tif 000003
【図２】
2004023520.tif 000004
【図３】
2004023520.tif 000005
【図４】
2004023520.tif 000006
【図５】
2004023520.tif 000007
【図６】
2004023520.tif 000008
【図７】
2004023520.tif 000009
【図８】
2004023520.tif 000010
【図９】
2004023520.tif 000011
【図１０】
2004023520.tif 000012
【図１１】
2004023520.tif 000013
【図１２】
2004023520.tif 000014
【図１３】
2004023520.tif 000015
【図１４】
2004023520.tif 000016
【図１５】
2004023520.tif 000017
【図１６】
2004023520.tif 000018
【図１７】
2004023520.tif 000019
【図１８】
2004023520.tif 000020
【図１９】
2004023520.tif 000021
【図２０】
2004023520.tif 000022
【図２１】
2004023520.tif 000023
【図２２】
2004023520.tif 000024
【図２３】
2004023520.tif 000025
【図２４】
2004023520.tif 000026
【図２５】
2004023520.tif 000027
【図２６】
2004023520.tif 000028
【図２７】
2004023520.tif 000029